(57)【要約】本発明における液晶表示装置および装置は、微小電気機械的な反射型アレイと当該微小電気機械的な反射アレイと関連付けて設けられた複数のプレート（２１２）とを含んで構成される。プレートは、第１のポジションと第２のポジションとの間で移動可能に配置される。また、複数のプレートが第１のポジションに位置する場合、反射モードで動作し、複数のプレートが第２のポジションに位置する場合、透過モードで動作する。
2007510181.tif 000002
【特許請求の範囲】
【請求項１】
液晶表示装置であって、
微小電気機械的な反射型アレイと、
前記微小電気機械的な反射型アレイと関連付けて設けられた複数のプレートとを備え、
前記複数のプレートは、
第１のポジションと第２のポジションとの間で移動可能に配置され、
前記複数のプレートが前記第１のポジションに位置する場合に、第１の動作モードで動作し、
前記複数のプレートが前記第２のポジションに位置する場合に、第２の動作モードで動作する
ことを特徴とする液晶表示装置。
【請求項２】
複数のピクセルをさらに備え、
前記複数のプレートがそれぞれ前記複数のピクセルに対応し、
前記第１の動作モードが反射モードであり、前記第２の動作モードが透過モードである
ことを特徴とする請求項１に記載の液晶表示装置。
【請求項３】
前記反射モードは純粋な反射モードを含み、前記透過モードは純粋な透過モードを含む
ことを特徴とする請求項２に記載の液晶表示装置。
【請求項４】
人工の光源をさらに備え、
前記微小電気機械的な反射型アレイは、前記人工の光源に近接して配置され、
前記光源は、前記透過モード中に前記複数のプレートの間を介して露出される
ことを特徴とする請求項２に記載の液晶表示装置。
【請求項５】
前記人工の光源は、
散光器と結合された発光ダイオード（ＬＥＤ）およびエレクトロ・ルミネッセンス（ＥＬ）パネルの少なくとも１つを含む
ことを特徴とする請求項４に記載の液晶表示装置。
【請求項６】
前記散光器は、ランベルト散光器であることを特徴とする請求項５に記載の液晶表示装置。
【請求項７】
前記複数のプレートと関連付けられ、かつ、前記微小電気機械的な反射型アレイに取り付けられた複数の微小電気機械的なヒンジ部をさらに備え、
前記複数の微小電気機械的なヒンジ部は、
前記第１のポジションと前記第２のポジションとの間で前記複数のプレートを移動させるように形成されることを特徴とする請求項４に記載の液晶表示装置。
【請求項８】
機能的に前記液晶表示装置と関連付けられ、かつ、周辺光を感知して、当該感知された周辺光に応じて制御信号を発生するセンサをさらに備え、
前記複数の微小電気機械的なヒンジ部は、前記制御信号に応じて、前記第１のポジションと前記第２のポジションとの間で前記複数のプレートを移動させることを特徴とする請求項７に記載の液晶表示装置。
【請求項９】
前記センサは、フォトトランジスタおよびフォトダイオードの少なくとも１つを含むことを特徴とする請求項８に記載の液晶表示装置。
【請求項１０】
前記微小電気機械的な反射型アレイおよび前記複数のプレートは、導電性の部材を含み、
前記制御信号は、前記第１のポジションで前記複数のプレートに適用され、前記第２のポジションで前記複数のプレートに適用されないことを特徴とする請求項８に記載の液晶表示装置。
【請求項１１】
前記導電性のプレートは、
前記制御信号が適用された場合に、前記導電性のアレイに引き寄せられ、
前記制御信号が適用されない場合に、前記導電性のアレイに引き寄せられない
ことを特徴とする請求項１０に記載の液晶表示装置。
【請求項１２】
前記制御信号は、電圧値の制御信号であることを特徴とする請求項１１に記載の液晶表示装置。
【請求項１３】
人工の光源と、
前記人工の光源の上に配置される前記微小電気機械的な反射型アレイと、
前記微小電気機械的な反射型アレイの上に配置された背面散光層と、
前記背面散光層の上に配置された第１の透過層と、
前記第１の透過層の上に配置された液晶表示層と、
前記液晶表示層の上に配置された第２の透過層と、
前記第２の透過層の上に配置された前面散光層と
をさらに備えることを特徴とする請求項１に記載の液晶表示装置。
【請求項１４】
前記プレートは、
前記第１のポジションにおいて、前記液晶表示装置に対して実質的に平行に配置され、
前記第２のポジションにおいて、前記液晶表示装置に対して実質的に垂直に配置される
ことを特徴とする請求項１３に記載の液晶表示装置。
【請求項１５】
液晶表示装置であって、
前記液晶表示装置に配置された微小電気機械的な反射型アレイと、
前記微小電気機械的な反射型アレイと関連付けて設けられた複数のプレートとを備え、
前記プレートは、
第１のポジションと第２のポジションとの間で移動可能であり、
前記第１のポジションにおいて、実質的に前記液晶表示装置に対して平行に配置され、
前記第２のポジションにおいて、実質的に前記液晶表示装置に対して垂直に配置され、
周辺光を感知して、制御信号を発生するセンサをさらに備え、
前記複数のプレートは、
前記制御信号がアサートされた場合に前記第１のポジションに配置され、
前記制御信号がアサートされなかった場合に前記第２のポジションに配置される
ことを特徴とする液晶表示装置。
【請求項１６】
人工の光源をさらに備え、
前記微小電気機械的な反射型アレイは、前記人工の光源の上に配置され、
前記プレートが前記第１のポジションに位置する場合に、前記人工の光源は前記プレートによって遮蔽され、かつ、前記周辺光が前記プレートによって反射され、
前記プレートが前記第２のポジションに位置する場合に、前記人工の光源が露出される
ことを特徴とする請求項１５に記載の液晶表示装置。
【請求項１７】
前記人工の光源は、
散光器と結合された発光ダイオード（ＬＥＤ）およびエレクトロ・ルミネッセンスパネルの少なくとも１つを含む
ことを特徴とする請求項１６に記載に液晶表示装置。
【請求項１８】
前記散光器は、ランベルト散光器であることを特徴とする請求項１７に記載の液晶表示装置。
【請求項１９】
前記複数のプレートと関連付けられ、かつ、前記微小電気機械的な反射型アレイに取り付けられた複数の微小電気機械的なヒンジ部をさらに備え、
前記微小電気機械的なヒンジ部は、前記第１のポジションと前記第２のポジションとの間で前記複数のプレートを移動させることを特徴とする請求項１５に記載の液晶表示装置。
【請求項２０】
前記複数の微小電気機械的なヒンジ部は、
前記制御信号に応じて前記第１のポジションと前記第２のポジションとの間で前記複数のプレートを移動させる
ことを特徴とする請求項１９に記載の液晶表示装置。
【請求項２１】
前記センサは、フォトトランジスタおよびフォトダイオードの少なくとも１つを含むことを特徴とする請求項１５に記載の液晶表示装置。
【請求項２２】
前記微小電気機械的なヒンジ部および前記複数のプレートは、導電性の部材を備え、
前記制御信号は、
前記第１のポジションで前記プレートに適用され、
前記第２のポジションで前記プレートに適用されない
ことを特徴とする請求項１５に記載の液晶表示装置。
【請求項２３】
前記導電性の部材を備えた前記プレートは、
前記制御信号が適用される場合に、前記導電性のアレイに引き寄せられ、
前記制御信号が適用されない場合に、前記導電性のアレイに引き寄せられない
ことを特徴とする請求項２２に記載の液晶表示装置。
【請求項２４】
前記制御信号は、電圧値の制御信号であることを特徴とする請求項２３に記載の液晶表示装置。
【請求項２５】
人工の光源と、
前記人工の光源の上に配置された前記微小電気機械的な反射型アレイと、
前記微小電気機械的な反射型アレイの上に配置された背面散光層と、
前記背面散光層の上に配置された第１の透過層と、
前記第１の透過層の上に配置された液晶表示層と、
前記液晶表示層の上に配置された第２の透過層と、
前記第２の透過層の上に配置された前面散光層と
をさらに備えることを特徴とする請求項１５に記載の液晶表示装置。
【請求項２６】
装置であって、
筐体と、
前記筐体に実装された液晶表示装置を備え、
前記液晶表示装置は、
微小電気機械的な反射型アレイと、
前記微小電気機械的な反射型アレイと関連付けて設けられた複数のプレートとを備え、
前記プレートは、
第１のポジションと第２のポジションとの間で移動可能であり、
前記複数のプレートが前記第１のポジションに位置する場合に、第１の動作モードで動作し、
前記複数のプレートが前記第２のポジションに位置する場合に、第２の動作モードで動作する
ことを特徴とする装置。
【請求項２７】
前記装置は、移動端末であって、
前記液晶表示装置は、複数のピクセルをさらに備え、
前記複数のプレートは、前記複数のピクセルそれぞれに対応し、
前記第１の動作モードは、反射モードであり、
前記第２の動作モードは、透過モードである
ことを特徴とする請求項２６に記載の装置。
【請求項２８】
前記反射モードは、純粋な反射モードであり、
前記透過モードは、純粋な透過モードである
ことを特徴とする請求項２７に記載の装置。
【請求項２９】
前記液晶表示装置は、人工の光源をさらに備え、
前記微小電気機械的な反射型アレイは、前記人工の光源の近傍に配置され、
前記光源は、前記透過モード中に前記複数のプレートの間を介して露出される
ことを特徴とする請求項２７に記載の装置。
【請求項３０】
前記液晶表示装置は、
前記複数のプレートと関連付けられ、かつ、前記微小電気機械的な反射型アレイに取り付けられた複数の微小電気機械的なヒンジ部をさらに備え、
前記複数の微小電気機械的なヒンジ部は、前記第１のポジションと前記第２のポジションとの間で前記複数のプレートを移動させる
ことを特徴とする請求項２９に記載の装置。
【請求項３１】
液晶表示装置の近傍に配置され、かつ、液晶表示装置と動作可能に関連付けられ、周辺光を感知して、当該周辺光に応じて制御信号を発生するセンサをさらに備え、
前記複数の微小電気機械的なヒンジ部は、前記制御信号に応じて前記第１のポジションと前記第２のポジションとの間で前記複数のプレートを移動させる
ことを特徴とする請求項３０に記載の装置。
【請求項３２】
前記微小電気機械的な反射型アレイおよび前記複数のプレートは、導電性の部材を含み、
前記制御信号は、
前記第１のポジションで前記プレートに適用され、
前記第２のポジションで前記プレートに適用されない
ことを特徴とする請求項３１に記載の装置。
【請求項３３】
前記導電性のプレートは、
前記制御信号が適用される場合に、前記導電性の反射型アレイに引き寄せられ、
前記制御信号が適用されない場合に、前記導電性の反射型アレイに引き寄せられない
ことを特徴とする請求項３２に記載の装置。
【請求項３４】
前記プレートは、
前記第１のポジションに位置する場合に、前記液晶表示装置に対して実質的に平行に配置され、
前記第２のポジションに位置する場合に、前記液晶表示装置に対して実質的に垂直に配置される
ことを特徴とする請求項２６に記載の装置。
【請求項３５】
装置であって、
純粋な透過モードまたは純粋な反射モードで動作する液晶表示装置を備えることを特徴とする表示装置。
【発明の詳細な説明】
【技術分野】
【０００１】
本発明は、表示装置に関する。より詳細には、液晶表示装置（ＬＣＤ）に関する。
【背景技術】
【０００２】
一般に、液晶表示装置は、例えば、ラップトップコンピュータ、デジタル時計、デジタル腕時計、電子レンジ、ＣＤプレーヤ、携帯電話、携帯情報端末（ＰＤＡ）等に使用される。これらの装置において、ＬＣＤの使用目的は共通している。例えば、ＬＣＤは、より薄く、軽く、さらにブラウン管（ＣＲＴ）よりも消費電力が少ないために使用されうる。それらの電子装置における要望が増加する場合、ＬＣＤには、消費者要求に合うようにより多目的になることが必要とされうる。
【発明の開示】
【発明が解決しようとする課題】
【０００３】
現在、ＬＣＤには、高透過型、高反射型および半透過型といった３つのタイプのＬＣＤが存在する。透過型表示装置は、通常、光源によるバックライトを有している。このバックライトは、例えば、発光ダイオード（ＬＥＤ）またはエレクトロ・ルミネッセンス（ＥＬ）パネルにより実現される。透過型表示装置は、暗い環境でも十分に機能するが、明るい環境、例えば、明るい光を放つオフィス環境または太陽光の環境では十分に機能しない。一方で、反射型装置は、通常、例えば太陽光またはオフィス光によるフロントライトを利用する。反射型表示装置は明るい環境で十分に機能するが、暗い環境では十分に機能しない。半透過型表示装置は、透過型表示装置と反射型表示装置の結合型である。詳細には、透過型装置は、常に、適度なの割合で光を反射させ、かつ、適度な割合で光を透過させる一組のシステムを使用する。したがって、半透過型表示装置は、明るい環境でフロントライトを使用する場合に反射型表示装置と同じようには機能しない。一方で、半透過型表示装置も、暗い環境でバックライトを使用する場合に透過型表示装置と同じようには機能しない。
【０００４】
上述したように、様々な製品に使用できる多用なＬＣＤ、例えば、様々な光の条件下でも十分に機能しうるＬＣＤが要望されている。
【課題を解決するための手段】
【０００５】
本発明の実施形態は、液晶表示装置および当該液晶表示装置を含む装置を提供する。液晶表示装置および液晶装置は、微小電気機械的（マイクロ・エレクトロメカニカル：ＭＥＭ）の反射型アレイと、当該微小電気機械的な反射型アレイに関連付けて設けられた複数のプレートを備える。プレートは、第１のポジションと第２のポジションとの間で移動可能に配置される。また、プレートは、第１のポジションに位置している場合に第１の動作モードで動作し、第２のポジションに位置している場合に第２の動作モードで動作する。また、本発明の実施形態によれば、装置は、移動端末を含む。
【０００６】
本発明の他の実施形態によれば、液晶表示装置は、複数のピクセルをさらに備えるようにしてもよい。この場合、複数のプレートは、複数のピクセルにそれぞれ対応して設けられる。第１の動作モードが反射モードであり、第２の動作モードが透過モードであるようにしてもよい。本発明の実施形態によれば、反射モードは、純粋な反射モードを含み、透過モードは、純粋な透過モードを含むようにしてもよい。
【０００７】
本発明によるさらに他の実施形態によれば、液晶表示装置は、人工の光源を備えるようにしてもよい。微小電気機械的な反射型アレイは、人工の光源に近接して設置されてもよい。さらに、光源は、透過モード中に複数のプレートによって露出されるようにしてもよい。本発明の実施形態によれば、人工的な光源は、散光器（diffuser）と結合した発光ダイオード（ＬＥＤ）およびエレクトロ・ルミネッセンス（ＥＬ）パネルの少なくとも１つであるようにしてもよい。散光器は、ランベルト散光器（Lambertian diffuser）を含んでもよい。
【０００８】
本発明によるさらに他の実施形態によれば、液晶表示装置は、複数のプレートと関連付けられ、かつ、微小電気機械的アレイに取り付けられた複数の微小電気機械的なヒンジ部を備えるようにしてもよい。複数の微小電気機械的なヒンジ部は、第１のポジションおよび第２のポジションの間で複数のプレートを移動させるように機能しうる。
【０００９】
本発明のさらに他の実施形態によれば、液晶表示装置は、液晶表示装置と動作可能に関連付けられたセンサを備えるようにしてもよい。このセンサは、周辺光を感知して、感知した光に応じて制御信号を発生する。複数の微小電気機械的なヒンジ部は、それらの制御信号に応じて第１のポジションおよび第２のポジションの間で複数のプレートを移動させるようにしてもよい。本発明による実施形態によれば、センサは、フォトトランジスタおよびフォトダイオードの少なくとも１つを含むようにしてもよい。
【００１０】
本発明のさらに他の実施形態によれば、微小電気機械的アレイおよび複数のプレートは、導電性の部材（elements）を含むようにしてもよい。制御信号は、第１のポジションに位置するプレートに適用され、第２のポジションに位置するプレートには適用されないようにしてもよい。導電性のプレートは、制御信号が適用される場合に導電性アレイに引き寄せられるようにしてもよい。また、導電性のプレートは、制御信号が適用されない場合に導電性アレイに引き寄せられないようにしてもよい。本発明の実施形態によれば、制御信号は、電圧値の制御信号であってもよい。
【００１１】
本発明のさらに他の実施形態によれば、液晶表示装置は、微小電気機械的アレイの下に人工の光源をさらに含むようにしてもよい。さらに、液晶表示装置は、微小電気機械的な反射型アレイの上に配置された背面散光層と、背面散光層の上に配置された第１の透過層と、第１の透過層の上に配置された液晶表示装置層とを含むようにしてもよい。さらに、液晶表示装置は、液晶表示装置層の上に配置された第２の透過層と、第２の透過層の上に配置された前面散光層を含むようにしてもよい。本発明の実施形態によれば、プレートは、第１のポジションで液晶表示装置層に対して実質的に平行となり、第２のポジションで液晶表示装置層に対して実質的に法線上に（垂直に）位置する。
【００１２】
本発明のさらに他の実施形態によれば、液晶表示装置は、当該液晶表示装置に配置された微小電気機械的な反射型アレイ、微小電気機械的な反射型アレイと関連付けて設けられた複数のプレートおよび周辺光を感知して制御信号を発生するセンサを含んで提供されうる。プレートは、第１のポジションおよび第２のポジションの間で移動可能に配置される。第１のポジションでは、液晶表示装置に対してプレートが実質的に平行となり、第２のポジションでは、液晶表示装置に対してプレートが実質的に垂直となる。複数のプレートは、制御信号がアサートされた場合に第１のポジションに位置し、制御信号がアサートされない場合に第２のポジションに位置する。
【００１３】
本発明のさらに他の実施形態によれば、液晶表示装置は、微小電気機械的な反射型アレイの下に人工の光源をさらに含む。複数のプレートが第１のポジションに位置する場合、人工の光源が遮断され、周辺光が反射されるようにしてもよい。さらに、複数のプレートが第２のポジションに位置する場合に、人工の光源が露出されるようにしてもよい。したがって、本発明の実施形態により、周辺光に応じたデュアル（２つの）動作モードを有する改良された液晶表示装置が提供されるであろう。
【発明を実施するための最良の形態】
【００１４】
以下では、本実施形態を示す添付の図面を参照して、本発明についてより詳細に説明する。各図において、領域または部材の相対的なサイズは、明確にするために誇張して記載される。しかしながら、本発明は、多くの異なる形態で実現可能であり、以下で記載する実施形態のみに限定されない。むしろ、それらの実施形態は、この開示が絶対的で完全であるために提供されうる。さらに、この実施形態は、当業者に本発明の範囲を十分に伝達するために提供されうる。
【００１５】
さらに、「上に（overlying）」のような相対的な用語は、図に示すように一方の層または領域と他方の層または領域との関係を説明するために使用されうる。それらの用語は、図に示された位置付けに加えて装置の異なる位置付けを包含することを意図していることが理解されるであろう。例えば、図に示す装置を回転した場合、他の層または領域の「上に」記載された層または領域は、他の層または領域の「下に」または「下に配置されるように」と位置付けられるであろう。用語「上に」は、このような場合、「上に」および「下に」の両方の意味を含むことを意図している。また、同一の参照番号は、同一の要素に対して付与される。
【００１６】
「第１の」および「第２の」という用語は、様々な要素または動作モードを説明するために以下で使用されるが、これらの要素または動作モードは、それらの用語により限定されることはない。それらの用語は、一方の要素または動作モードと他方の要素または動作モードとを区別するために使用されるだけである。このように、例えば、以下で記載される第１のモードは、第２のモードと称されてもよく、第２のモードは、本発明の内容から逸脱しない範囲で第１のモードと称されてもよい。
【００１７】
以下では、図１から図７Ｂまでを参照して、本発明の実施形態について説明する。本発明の実施形態は、液晶表示装置（ＬＣＤ）および装置、例えば、移動端末を提供する。液晶表示装置および装置は、微小電気機械的な反射型アレイを含む。また、微小電気機械的な反射型アレイは、複数のプレートを含む。複数のプレートは、第１のポジションに位置する場合に第１の動作モードで動作し、第２のポジションに位置する場合に第２の動作モードで動作する。第１の動作モードは、反射モードであり、第２の動作モードは、透過モードであるようにしてもよい。本実施形態において、複数のヒンジ部は、対応するプレートに関連付けられ、かつ、微小電気機械的アレイに取り付けられる。複数のヒンジ部は、センサによって発生された制御信号に応じて第１のポジションおよび第２のポジションの間で移動可能に配置される。センサは、周辺光を感知し、周囲の光条件に応じて制御信号をアクティブ化および非アクティブ化の少なくとも一方の制御を行う。したがって、本発明の実施形態は、純粋な反射型の動作モードおよび純粋な透過型の動作モードの少なくとも一方を有するデュアルモードの液晶表示装置を提供する。
【００１８】
本発明は、本発明の実施形態による同一のものを含む液晶表示装置および装置のブロック図を参照して以下に説明される。図１は、本発明の実施形態に対応する移動端末を示すブロック図である。本発明の実施形態は、図１に示す移動端末２２に関連して使用されうる。液晶表示装置が移動端末の一部として含まれるように以下で説明されるが、本発明の実施形態は、この形態に限定されるわけではない。例えば、本発明の実施形態による液晶表示装置は、デジタル時計やデジタル腕時計、電子レンジ、ＣＤプレーヤおよび本発明の内容から逸脱しないような機器に含まれてもよい。
【００１９】
図１は、本発明の実施形態に対応する無線電話通信システムの一例を示す図である。無線電話通信システムには、移動端末２２および無線通信ネットワークの基地局トランシーバ２４が含まれる。移動端末２２は、携帯型の筐体２３を含み、コントローラ／プロセッサ４２と通信を行うキーボード／キーパッド２６、表示装置２８、センサ２９、スピーカ３２、マイクロホン３４、トランシーバ３６およびメモリ３８を含んで構成されうる。トランシーバ３６は、通常、送信回路４４および受信回路４６を含んで構成される。また、トランシーバ３６は、それぞれ、基地局トランシーバ２４に発信用の無線周波数信号を送信し、アンテナ４８を介して基地局トランシーバ２４から音声信号のような着信用の無線周波数信号を受信する。移動端末２２と基地局トランシーバ２４との間で送信される無線周波数信号は、トラフィック（データ）信号および制御信号（例えば、着呼におけるページング信号／メッセージ）の両方を含んでもよい。これらの信号は、他のメンバまたは宛先との通信を確立または維持するために使用される。コントローラ／プロセッサ４２は、移動端末２２の様々な機能をサポートしうる。これらの機能には、周辺光に関してセンサ２９によって感知された信号の処理および表示装置２８にセンサ２９によって発生された信号の供給が含まれる。表示装置２９に提供される信号は、本発明の実施形態による第１の動作モードおよび第２の動作モードを実現するために必要とされる。
【００２０】
以下で使用される用語「移動端末」は、マルチライン表示装置を備えるまたは備えないセルラー無線電話と、データ処理、ファクシミリおよびデータ通信機能を伴うセルラー無線電話と接続されうる個人通信システム（ＰＣＳ）端末とを含んでもよい。また、「移動端末」は、無線電話、ポケベル、インターネット接続、ウェブブラウザ、スケジュール管理、カレンダおよび全地球測位システム（ＧＰＳ）受信機の少なくとも１つを含む携帯情報端末（ＰＤＡ）と、無線電話のトランシーバを含む従来のラップトップおよびパームトップの携帯コンピュータの少なくとも１つとを含んでもよい。
【００２１】
本発明の他の実施形態によれば、基地局トランシーバ２４は、セルラーネットワークにおいて個々のセルを設定する無線トランシーバ（送受信装置）を含んで構成される。また、基地局トランシーバ２４は、無線リンクプロトコルを使用するセルにおいて、移動端末２２および他の移動端末と通信を行う。図１には、単一の基地局トランシーバ２４のみを示しているが、多くの基地局トランシーバが接続されていることは理解されるであろう。これらの基地局トランシーバは、例えば、移動機交換局や無線通信ネットワークに設定された他の装置と接続されている。
【００２２】
本発明は、移動端末２２のような通信装置または通信システムによって実現されうるが、本発明は、そのような装置やシステムに限定されない。実際に、本発明は、液晶表示装置を利用する機器で実現されうる。
【００２３】
図２に示すように、本発明の実施形態による図１の液晶表示装置２８は、光源２１０、微小電気機械的な反射型（ＭＭＲ）アレイ２２０、背面散光層２３０、第１の透過面２４０、液晶層２５０、第２の透過面２６０および前面散光器２７０を含む。液晶表示装置２８を形成するこれらの層は、図２に示すように、それぞれが他の層の上に配置されるようにしてもよい。光源２１０は、例えば、点光源または面光源であってもよい。点光源として、例えば、発光ダイオード（ＬＥＤ）または蛍光灯もしくは電球が使用される場合、散光器は、液晶表示装置を横切る点光源を均一に分配するために使用されるであろう。散光器は、例えば、高透過型のランベルト散光器であってもよい。面光源は、例えば、エレクトロ・ルミネッセンス（ＥＬ）パネルであってもよい。背面散光器２３０、第１の透過面２４０および第２の透過面２６０（例えば、ガラスまたはプラスチック）と、液晶層２５０（例えば、インジウムスズ酸化物：ＩＴＯ）と、前面散光器２７０は、従来の液晶表示装置に含まれる。そのため、これらの構成要素に関する詳細は、省略される。
【００２４】
上述したように、第１の透過面２４０および第２の透過面２６０は、ガラスであってもよい。例えば、第１のガラス基板および第２のガラス基板であってもよい。本発明の実施形態において、ガラス基板の１つは、カラーフィルタアレイを形成するように配置されてもよい。さらに、他のガラス基板は、薄幕トランジスタを形成するように配置されてもよい。ガラス基板の外側に設けられるカラーフィルタアレイ、例えば、赤、緑、青（ＲＧＢ）のカラーフィルタアレイは、ＬＣＤにおけるフルカラー表示装置を提供しうる。本実施形態による黒色マトリクスは、各カラー要素（赤、緑、青）が定義およびコントラストに利用される黒色境界領域を有するために提供されうる。ガラス基板上に形成されたカラーフィルタアレイは、本発明の内容から逸脱することなく、多くの異なる方法を使用して形成されうる。上記方法は、例えば、染料方法または顔料方法である。カラーフィルタアレイの製造に関する詳細は、本発明の範囲を越えるため省略される。
【００２５】
図２の断面図は一適用例であり、本発明は、図２に示す構成例に限定されない。本実施形態による液晶表示装置２８は、例えば、本発明の内容から逸脱しない範囲で、アクティブマトリクスまたはパッシブマトリクス液晶表示装置を含んでもよい。
【００２６】
ＭＭＲアレイ２２０は、例えば、ミラーのような高反射型アレイであってもよい。図３に示すように、ＭＭＲアレイ２２０は、複数のプレート２１２を含んでもよい。また、ＭＭＲアレイ２２０およびプレート２１２は、導電性の素材を含んでもよい。複数のプレート２１２は、当該複数のプレート２１２が第１のポジションに位置する場合、第１の動作モードで動作し、当該複数のプレート２１２が第２のポジションに位置する場合、第２の動作モードで動作しうる。
【００２７】
第１の動作モードは、例えば、反射型の動作モードであってもよい。反射型の動作モードは、例えば、太陽光または蛍光灯の点灯を有するオフィス環境のような明るい環境において、有用であろう。上述したように、ＭＭＲアレイ２２０は、高反射型（或いは、ミラーと同程度）であり、液晶表示装置２８が反射モードで動作している場合に周辺光を反射するのに適している。したがって、プレート２１２は、図６Ａに示すように、反射モードにおいて、液晶表示装置に対して実質的に平行となる。すなわち、プレート２１２の反射面は、周辺光６００、例えば、太陽光がプレート２１２の面に反射される（例えば、パス６１０）ように配置される。本発明の実施形態によれば、液晶表示装置は、プレート２１２が第１のポジションに位置する場合に純粋な反射モードで動作しうる。ここで使用される用語「純粋な」は、プレート２１２が第１のポジション（すなわち、反射ポジション）に位置する状況だけでなく、全てのプレート２１２が実質的に第１のポジションに位置している状況も含みうる。
【００２８】
第２の動作モードは、例えば、透過の動作モードであってもよい。透過の動作モードは、暗い環境、例えば、夜の光または停電中の暗い光の部屋で有用であろう。したがって、透過モードにおいて、周辺光は、プレート２１２の高反射面に反射するほど十分に強い光でなくてよい。よって、透過モードにおいて、後ろから表示装置２８を照らす（すなわち、バックライト）ような液晶表示装置２８に含まれる光源２１０を備えることは有益であろう。したがって、透過モードにおいて、プレート２１２は、実質的に図６Ｂに示すように液晶表示装置２８に対して法線上に配置される。すなわち、プレート２１２の反射面は、バックライト６２０がプレート２１２の間を通って（例えば、パス６３０）放射されるように配置され、液晶表示装置２８は、後ろから照らされることとなる。本発明の実施形態によれば、液晶表示装置２８は、プレート２１２が第２のポジションに位置する場合に純粋な透過モードで動作しうる。上述したように、用語「純粋な」は、プレート２１２が第２のポジション（すなわち、透過ポジション）に位置する状況だけでなく、全てのプレート２１２が実質的に第２のポジションに位置している状況も含みうる。
【００２９】
本発明の実施形態によれば、ＭＭＲアレイ２２０のプレート２１２は、液晶表示装置２８の複数のピクセルと位置合わせされる。したがって、複数のピクセルは、例えば、図３に示すＭＭＲアレイ２２０のように格子状に配置されうる。さらに、本実施形態によれば、プレート２１２は、本発明の内容から逸脱しない範囲で、液晶表示装置２８における２つ以上のピクセル領域と同等のサイズを有する。また、単一のピクセル領域よりも大きいサイズのプレートを有する本実施形態によれば、液晶表示装置２８を備える装置が装置の筐体（例えば、図１に示す移動端末の筐体２３）内で第１のポジションから第２のポジションへ移動するために必要となる空間が設けられているということが理解されるであろう。
【００３０】
図４は、本実施形態に対応するプレートと関連付けて設けられたヒンジ部を示す図である。液晶表示装置２８は、複数のヒンジ部２１５、例えば、複数のプレート２１２と関連付けられ、かつ、微小電気機械的アレイ２２０に取り付けられた微小電気機械的なヒンジ部をさらに含む。ヒンジ部２１５は、例えば、ピクセルギャップ２１１、すなわち、図３に示すピクセル間の領域に配置されている。したがって、複数の微小電気機械的なヒンジ部２１５は、第１のポジション（図６Ａ）と第２のポジション（図６Ｂ）との間で複数のプレート２１２を移動させるように構成されうる。
【００３１】
本実施形態によるヒンジ部がここで記載された例に限定されないということは理解されるであろう。本実施形態によるヒンジ部は、第１のポジションと第２のポジションとの間でプレート２１２を移動させるようなヒンジタイプであればよい。例えば、本実施形態によるヒンジ部は、図５Ａおよび図５Ｂに示すように、微小電気機械的な片持ちレバー（cantilever）ヒンジ５００であってもよい。片持ちレバーヒンジ５００の片持ちレバーアーム５１０は、図５Ａに示す第１のポジションと、図５Ｂに示す第２のポジションとを有する。片持ちレバーアーム５１０は、図に示すように、第１のポジション（図５Ａ）から第２のポジション（図５Ｂ）に遷移する段階で下に折れ曲がる。これは、以下で説明する片持ちレバーアーム５１０への電圧制御信号に応じて実行されうる。
【００３２】
図１に示すセンサ２９は、液晶表示装置２８と動作可能に関連付けられている。また、センサ２９は、周辺光を感知して、感知した周辺光に応じて制御信号を発生する。センサ２９は、正確に周辺光を感知するために液晶表示装置２８の近傍に配置されることが望ましい。センサ２９は、光学センサ、例えば、フォトトランジスタおよびフォトダイオードの少なくとも一方であってもよい。本実施形態によれば、ヒンジ部２１５は、制御信号に応じて第１のポジションと第２のポジションとの間で移動するように構成されてもよい。例えば、センサ２９は、周辺光が１００ルクスより小さい値であれば、制御信号を発生するように構成してもよい。制御信号を発生するセンサ２９が、環境、液晶表示装置が含まれる装置のタイプおよびユーザの選択等に依存するということが理解されるであろう。また、センサ２９は、ここで挙げた例に限定されない。
【００３３】
上述したように、ＭＭＲアレイ２２０およびプレート２１２は、導電性の部材を含んでもよい。本実施形態によれば、制御信号は、例えば、電圧値の制御信号であってもよい。電圧値の制御信号がＭＭＲアレイ２２０およびプレート２１２に適用された場合（すなわち、反射モードに適した明るい環境で使用された場合）、静電気引力が２つの要素間で発生し、図７Ａに示すように、プレート２１２が第２のポジションから第１のポジションへ移動しうる。同様に、電圧値の制御信号がＭＭＲアレイ２２０およびプレート２１２に適用されない場合（すなわち、透過モードに適した暗い環境で装置が使用された場合）、静電気引力が減少してヒンジ部２１０が接続を解放し、プレート２１２は、図７Ｂに示すように、第１のポジションから第２のポジションへ移動しうる。各導電性プレート２１２およびＭＭＲアレイ２２０の間の引力が静電引力に限定されないということが理解されるであろう。例えば、引力は、本発明の内容から逸脱しない範囲で電磁性の引力であってもよい。
【００３４】
図１から図７Ｂを用いて上述したように、本発明による液晶表示装置は、２つの動作モードを有する。液晶表示装置は、例えば、光センサによって感知された周辺光に基づいて反射モードおよび透過モードの間で切り換えられるようにしてもよい。したがって、本発明による液晶表示装置は、改善されたより多用途の液晶表示装置を提供しうる。
【００３５】
図面および明細書において、本発明の実施形態を開示している。これらの中で、特定の用語を使用しているが、それらは一般的および記載的に使用しただけであり、本発明を限定する目的で使用したわけではない。本発明の範囲は、添付の特許請求の範囲によって設定される。
【図面の簡単な説明】
【００３６】
【図１】本発明の実施形態に対応する移動端末および基地局のトランシーバを示す図である。
【図２】本発明の実施形態に対応する液晶表示装置（ＬＣＤ）を示す断面図である。
【図３】本発明の実施形態に対応する微小電気機械的な反射型アレイおよび複数のプレートを示す図である。
【図４】本発明の実施形態に対応するヒンジ部を含む微小電気機械的な反射型アレイおよび複数のプレートを示す図である。
【図５Ａ】、
【図５Ｂ】本発明の実施形態に対応する微小電気機械的なアレイおよび複数のプレートと結合して使用される感知レバーのヒンジ部の一例を示す図である。
【図６Ａ】、
【図６Ｂ】本発明の実施形態に対応する微小電気機械的な反射型アレイおよび複数のプレートの位置を示す図である。
【図７Ａ】、
【図７Ｂ】本発明の実施形態に対応する第１のポジションと第２のポジションとの間で微小電気機械的なアレイおよび複数のプレートの動作を示す図である。
【図１】
2007510181.tif 000003
【図２】
2007510181.tif 000004
【図３】
2007510181.tif 000005
【図４】
2007510181.tif 000006
【図５Ａ】
2007510181.tif 000007
【図５Ｂ】
2007510181.tif 000008
【図６Ａ】
2007510181.tif 000009
【図６Ｂ】
2007510181.tif 000010
【図７Ａ】
2007510181.tif 000011
【図７Ｂ】
2007510181.tif 000012
【手続補正書】
【提出日】平成17年5月30日(2005.5.30)
【手続補正１】
【補正対象書類名】特許請求の範囲
【補正対象項目名】全文
【補正方法】変更
【補正の内容】
【特許請求の範囲】
【請求項１】
移動端末に使用される液晶表示装置であって、
微小電気機械的な反射型アレイと、
前記微小電気機械的な反射型アレイと関連付けて設けられた複数のプレートとを備え、
前記複数のプレートは、
第１のポジションと第２のポジションとの間で移動可能に配置され、
前記複数のプレートが前記第１のポジションに位置する場合に、第１の動作モードで動作し、
前記複数のプレートが前記第２のポジションに位置する場合に、第２の動作モードで動作する
ことを特徴とする液晶表示装置。
【請求項２】
複数のピクセルをさらに備え、
前記複数のプレートがそれぞれ前記複数のピクセルに対応し、
前記第１の動作モードが反射モードであり、前記第２の動作モードが透過モードである
ことを特徴とする請求項１に記載の液晶表示装置。
【請求項３】
前記反射モードは純粋な反射モードを含み、前記透過モードは純粋な透過モードを含む
ことを特徴とする請求項２に記載の液晶表示装置。
【請求項４】
人工の光源をさらに備え、
前記微小電気機械的な反射型アレイは、前記人工の光源に近接して配置され、
前記光源は、前記透過モード中に前記複数のプレートの間を介して露出される
ことを特徴とする請求項２に記載の液晶表示装置。
【請求項５】
前記人工の光源は、
散光器と結合された発光ダイオード（ＬＥＤ）およびエレクトロ・ルミネッセンス（ＥＬ）パネルの少なくとも１つを含む
ことを特徴とする請求項４に記載の液晶表示装置。
【請求項６】
前記散光器は、ランベルト散光器であることを特徴とする請求項５に記載の液晶表示装置。
【請求項７】
前記複数のプレートと関連付けられ、かつ、前記微小電気機械的な反射型アレイに取り付けられた複数の微小電気機械的なヒンジ部をさらに備え、
前記複数の微小電気機械的なヒンジ部は、
前記第１のポジションと前記第２のポジションとの間で前記複数のプレートを移動させるように形成されることを特徴とする請求項４に記載の液晶表示装置。
【請求項８】
機能的に前記液晶表示装置と関連付けられ、かつ、周辺光を感知して、当該感知された周辺光に応じて制御信号を発生するセンサをさらに備え、
前記複数の微小電気機械的なヒンジ部は、前記制御信号に応じて、前記第１のポジションと前記第２のポジションとの間で前記複数のプレートを移動させることを特徴とする請求項７に記載の液晶表示装置。
【請求項９】
前記センサは、フォトトランジスタおよびフォトダイオードの少なくとも１つを含むことを特徴とする請求項８に記載の液晶表示装置。
【請求項１０】
前記微小電気機械的な反射型アレイおよび前記複数のプレートは、導電性の部材を含み、
前記制御信号は、前記第１のポジションで前記複数のプレートに適用され、前記第２のポジションで前記複数のプレートに適用されないことを特徴とする請求項８に記載の液晶表示装置。
【請求項１１】
前記導電性のプレートは、
前記制御信号が適用された場合に、前記導電性のアレイに引き寄せられ、
前記制御信号が適用されない場合に、前記導電性のアレイに引き寄せられない
ことを特徴とする請求項１０に記載の液晶表示装置。
【請求項１２】
前記制御信号は、電圧値の制御信号であることを特徴とする請求項１１に記載の液晶表示装置。
【請求項１３】
人工の光源と、
前記人工の光源の上に配置される前記微小電気機械的な反射型アレイと、
前記微小電気機械的な反射型アレイの上に配置された背面散光層と、
前記背面散光層の上に配置された第１の透過層と、
前記第１の透過層の上に配置された液晶表示層と、
前記液晶表示層の上に配置された第２の透過層と、
前記第２の透過層の上に配置された前面散光層と
をさらに備えることを特徴とする請求項１に記載の液晶表示装置。
【請求項１４】
前記プレートは、
前記第１のポジションにおいて、前記液晶表示装置に対して実質的に平行に配置され、
前記第２のポジションにおいて、前記液晶表示装置に対して実質的に垂直に配置される
ことを特徴とする請求項１３に記載の液晶表示装置。
【請求項１５】
液晶表示装置であって、
前記液晶表示装置に配置された微小電気機械的な反射型アレイと、
前記微小電気機械的な反射型アレイと関連付けて設けられた複数のプレートとを備え、
前記プレートは、
第１のポジションと第２のポジションとの間で移動可能であり、
前記第１のポジションにおいて、実質的に前記液晶表示装置に対して平行に配置され、
前記第２のポジションにおいて、実質的に前記液晶表示装置に対して垂直に配置され、
周辺光を感知して、制御信号を発生するセンサをさらに備え、
前記複数のプレートは、
前記制御信号がアサートされた場合に前記第１のポジションに配置され、
前記制御信号がアサートされなかった場合に前記第２のポジションに配置される
ことを特徴とする液晶表示装置。
【請求項１６】
人工の光源をさらに備え、
前記微小電気機械的な反射型アレイは、前記人工の光源の上に配置され、
前記プレートが前記第１のポジションに位置する場合に、前記人工の光源は前記プレートによって遮蔽され、かつ、前記周辺光が前記プレートによって反射され、
前記プレートが前記第２のポジションに位置する場合に、前記人工の光源が露出される
ことを特徴とする請求項１５に記載の液晶表示装置。
【請求項１７】
前記人工の光源は、
散光器と結合された発光ダイオード（ＬＥＤ）およびエレクトロ・ルミネッセンスパネルの少なくとも１つを含む
ことを特徴とする請求項１６に記載に液晶表示装置。
【請求項１８】
前記散光器は、ランベルト散光器であることを特徴とする請求項１７に記載の液晶表示装置。
【請求項１９】
前記複数のプレートと関連付けられ、かつ、前記微小電気機械的な反射型アレイに取り付けられた複数の微小電気機械的なヒンジ部をさらに備え、
前記微小電気機械的なヒンジ部は、前記第１のポジションと前記第２のポジションとの間で前記複数のプレートを移動させることを特徴とする請求項１５に記載の液晶表示装置。
【請求項２０】
前記複数の微小電気機械的なヒンジ部は、
前記制御信号に応じて前記第１のポジションと前記第２のポジションとの間で前記複数のプレートを移動させる
ことを特徴とする請求項１９に記載の液晶表示装置。
【請求項２１】
前記センサは、フォトトランジスタおよびフォトダイオードの少なくとも１つを含むことを特徴とする請求項１５に記載の液晶表示装置。
【請求項２２】
前記微小電気機械的なヒンジ部および前記複数のプレートは、導電性の部材を備え、
前記制御信号は、
前記第１のポジションで前記プレートに適用され、
前記第２のポジションで前記プレートに適用されない
ことを特徴とする請求項１５に記載の液晶表示装置。
【請求項２３】
前記導電性の部材を備えた前記プレートは、
前記制御信号が適用される場合に、前記導電性のアレイに引き寄せられ、
前記制御信号が適用されない場合に、前記導電性のアレイに引き寄せられない
ことを特徴とする請求項２２に記載の液晶表示装置。
【請求項２４】
前記制御信号は、電圧値の制御信号であることを特徴とする請求項２３に記載の液晶表示装置。
【請求項２５】
人工の光源と、
前記人工の光源の上に配置された前記微小電気機械的な反射型アレイと、
前記微小電気機械的な反射型アレイの上に配置された背面散光層と、
前記背面散光層の上に配置された第１の透過層と、
前記第１の透過層の上に配置された液晶表示層と、
前記液晶表示層の上に配置された第２の透過層と、
前記第２の透過層の上に配置された前面散光層と
をさらに備えることを特徴とする請求項１５に記載の液晶表示装置。
【請求項２６】
移動端末であって、
筐体と、
前記筐体に実装された液晶表示装置を備え、
前記液晶表示装置は、
微小電気機械的な反射型アレイと、
前記微小電気機械的な反射型アレイと関連付けて設けられた複数のプレートとを備え、
前記プレートは、
第１のポジションと第２のポジションとの間で移動可能であり、
前記複数のプレートが前記第１のポジションに位置する場合に、第１の動作モードで動作し、
前記複数のプレートが前記第２のポジションに位置する場合に、第２の動作モードで動作する
ことを特徴とする移動端末。
【請求項２７】
前記液晶表示装置は、複数のピクセルをさらに備え、
前記複数のプレートは、前記複数のピクセルそれぞれに対応し、
前記第１の動作モードは、反射モードであり、
前記第２の動作モードは、透過モードである
ことを特徴とする請求項２６に記載の移動端末。
【請求項２８】
前記反射モードは、純粋な反射モードであり、
前記透過モードは、純粋な透過モードである
ことを特徴とする請求項２７に記載の移動端末。
【請求項２９】
前記液晶表示装置は、人工の光源をさらに備え、
前記微小電気機械的な反射型アレイは、前記人工の光源の近傍に配置され、
前記光源は、前記透過モード中に前記複数のプレートの間を介して露出される
ことを特徴とする請求項２７に記載の移動端末。
【請求項３０】
前記液晶表示装置は、
前記複数のプレートと関連付けられ、かつ、前記微小電気機械的な反射型アレイに取り付けられた複数の微小電気機械的なヒンジ部をさらに備え、
前記複数の微小電気機械的なヒンジ部は、前記第１のポジションと前記第２のポジションとの間で前記複数のプレートを移動させる
ことを特徴とする請求項２９に記載の移動端末。
【請求項３１】
液晶表示装置の近傍に配置され、かつ、液晶表示装置と動作可能に関連付けられ、周辺光を感知して、当該周辺光に応じて制御信号を発生するセンサをさらに備え、
前記複数の微小電気機械的なヒンジ部は、前記制御信号に応じて前記第１のポジションと前記第２のポジションとの間で前記複数のプレートを移動させる
ことを特徴とする請求項３０に記載の移動端末。
【請求項３２】
前記微小電気機械的な反射型アレイおよび前記複数のプレートは、導電性の部材を含み、
前記制御信号は、
前記第１のポジションで前記プレートに適用され、
前記第２のポジションで前記プレートに適用されない
ことを特徴とする請求項３１に記載の移動端末。
【請求項３３】
前記導電性のプレートは、
前記制御信号が適用される場合に、前記導電性の反射型アレイに引き寄せられ、
前記制御信号が適用されない場合に、前記導電性の反射型アレイに引き寄せられない
ことを特徴とする請求項３２に記載の移動端末。
【請求項３４】
前記プレートは、
前記第１のポジションに位置する場合に、前記液晶表示装置に対して実質的に平行に配置され、
前記第２のポジションに位置する場合に、前記液晶表示装置に対して実質的に垂直に配置される
ことを特徴とする請求項２６に記載の移動端末。
【手続補正３】
【補正対象書類名】明細書
【補正対象項目名】０００３
【補正方法】変更
【補正の内容】
【０００３】
現在、ＬＣＤには、高透過型、高反射型および半透過型といった３つのタイプのＬＣＤが存在する。透過型表示装置は、通常、光源によるバックライトを有している。このバックライトは、例えば、発光ダイオード（ＬＥＤ）またはエレクトロ・ルミネッセンス（ＥＬ）パネルにより実現される。透過型表示装置は、暗い環境でも十分に機能するが、明るい環境、例えば、明るい光を放つオフィス環境または太陽光の環境では十分に機能しない。一方で、反射型装置は、通常、例えば太陽光またはオフィス光によるフロントライトを利用する。反射型表示装置は明るい環境で十分に機能するが、暗い環境では十分に機能しない。半透過型表示装置は、透過型表示装置と反射型表示装置の結合型である。詳細には、透過型装置は、常に、適度なの割合で光を反射させ、かつ、適度な割合で光を透過させる一組のシステムを使用する。したがって、半透過型表示装置は、明るい環境でフロントライトを使用する場合に反射型表示装置と同じようには機能しない。一方で、半透過型表示装置も、暗い環境でバックライトを使用する場合に透過型表示装置と同じようには機能しない。また、従来の液晶表示装置として、特開２００１−００４９４７号公報および特開２００１−３１１９４６号公報が開示されている。
【国際調査報告】
2007510181.tif 000013
2007510181.tif 000014
2007510181.tif 000015